【事件の表示】
　平成　５年特許願第３５４０９３号「遊技機」拒絶査定不服審判事件〔平成　７年　７月２５日出願公開、特開平　７−１８５０７４〕について、次のとおり審決する。
【結　論】
　本件審判の請求は、成り立たない。
【理　由】
１． 手続きの経緯、本願発明 
　　　　
　本願は、平成５年１２月２７日の出願であって、平成１３年９月２７日付けで拒絶査定がなされ、これに対し、平成１３年１１月１日付けで拒絶査定に対する審判請求がなされたものであり、その請求項１に係る発明（以下、本願発明という。）は、平成１１年８月２３日付け手続補正書、平成１２年１２月１８日付けの手続補正書及び平成１３年１１月１日付けの手続補正書により補正された明細書又は図面の記載からみて、特許請求の範囲の請求項２に記載された次のとおりのものである。
　　　　
「電子ディスプレイ装置を用いた可変表示部と、
　釘または風車を含む役物、入賞口及びアウト口とが少なくとも設けられ、遊技球が上面を通過しうる透光性を有する遊技基盤と、
　を有し、
　前記遊技基盤は、前記可変表示部の前面に設けられ、
　前記可変表示部の左右幅は前記遊技基盤の左右幅と同程度の寸法であり、前記可変表示部の上下幅は、前記遊技基盤の上下幅よりも前記アウト口近傍領域の上下寸法だけ短いことを特徴とする遊技機。」
　　　
２．引用例
　原査定の拒絶の理由１に引用された特開平３−１２８０７７号公報（以下「引用例」という）には、図面とともに以下の記載がある。
　　　　
（記載事項ａ）
「パチンコ機枠の前面に多数の障害釘を打設し複数の変動入賞口および入賞口を適宜配設した遊技部を有する透明材質からなる遊技盤と、該遊技盤の背面全面に装着し前記変動入賞口および入賞口に連通する開口を有する情報表示パネルと、を有し、該表示パネルにパネル表示ドライバーを介してコンピュータユニットを接続し、該コンピュータにファンクションキーを接続し、ファンクションキーの選択により所望の情報を前記コンピュータユニットより引き出し、情報表示パネルに映像表示させたパチンコ機等の遊技装置。」（特許請求の範囲）
　　　　
（記載事項ｂ）　　　　
「発明が解決しようとする課題
上述した従来技術においては、障害釘、入賞口等の遊技設備とポスター、点滅ランプ等の表示設備とが遊技盤の盤面上に配備されているため、表示設備の配備が著しく制限されるばかりでなく、表示内容が固定的で変化に乏しく、遊技盤を情報伝達の媒体として機能させることは困難であった。」（第１頁右下欄第８〜１４行）
　　　
（記載事項ｃ）
「課題を解決するための手段
本発明は、上述した従来技術の欠点を除去するために、従来不透明であった遊技盤を透明にして、該遊技盤の裏面全面に情報表示パネルを装着し、該パネルをコンピュータユニットに接続し、該コンピュータから、ファンクションキーの操作又は入賞球の信号により必要な情報を引き出して情報表示パネル上に映像化し、遊技盤を情報伝達の媒体としたものである。」（第１頁右下欄第１５行〜第２頁左上欄第３行）
　　　　
（記載事項ｄ）
「作用
遊技盤は透明であるから、遊技盤の背面全面に装着した情報表示パネル上に映像化された情報は、遊技者によって直接目視できるとともに、遊技者に必要な情報は、ファンクションキーを選択操作することにより又は入賞球の信号によりコンピュータに蓄積された多数の情報より所望の情報を抽出して情報表示パネル上に表示し、遊技者に提供することができる。」（第２頁左上欄第４〜
１２行）
　　　　
（記載事項ｅ）
「実施例
第１図はパチンコ機の正面図であって、前面枠１には、プラスチック製の透明遊技盤２と該遊技盤２の裏面全面に装着した情報表示パネル３が取付けられ、透明遊技盤２の表面には、多数の障害釘と複数の変動入賞口および入賞口を適宜配設した公知のレイアウトが施されており、情報表示パネル３には遊技盤２の変動入賞口および入賞口２′を有する導管４の挿通口３′が開口している。
そして、情報表示パネル３は該パネル表示用ドライバー５に接続し、該ドライバー５はハードディスク、ICカード等のメモリーを装填したコンピュータユニット６に接続し、コンピュータユニット５は複数の操作ボタンを有するファンクションキー７に接続している。
なお、透明遊技盤２の盤面における変動入賞口の開閉、賞球放出、その他遊技設備の作動制御手段は、従来公知のものであるので、説明を省略する。
そこで、ファンクションキー７の操作ボタンを選択して押すと、コンピュータユニット６のメモリーから所望の情報が引き出されて情報表示パネル３の盤面上に映像として表示され、また、入賞球導管４に近接スイッチ８を設け、入賞球によって作動する近接スイッチ８の信号を従来公知のパチンコ用コントローラーを介してコンピュータユニット６に入力させることにより、情報表示パネル３に必要な画像を表示することもできる。また、パチスロ等の回転式遊技装置においても前面のポスター掲示部分に前述した情報表示パネルを装着することも可能である。なお、第２図の符号Ｇは板ガラス、Ｓは障害釘である。」（第２頁左上欄第１３行〜左下欄第４行）
　　　　
（記載事項ｆ）
「発明の効果
本発明は、遊技盤を透明にして該遊技盤の裏面全面にコンピュータユニットに接続された情報表示パネルを装着したから、パネル表示用ドライバー５の操作によりコンピュータユニットに蓄積されている多数の情報から必要な情報を選択的に目視することができ、また、多数の変動入賞口および入賞口の夫々の近接スイッチからの信号によって、情報表示パネルに表示される画像が多様に変化し、遊技を一層臨場感溢れる楽しいものにさせることができるとともに、多数の情報を店内放送によることなく提供又は伝達することができるものであるから、店内放送の煩わしさもなく、確実に情報の伝達ができるものである。」（第２頁左下欄第５〜１８行）
　　　　　　
　これらの記載及び図面、並びに、特に(a)引用発明の「情報表示パネル３」が電子ディスプレイ装置を用いたものであることが明らかであること、(b)「遊技盤２の裏面全面に装着した情報表示パネル３」（記載事項ｅ）の記載から、透明遊技盤２が情報表示パネル３の表面に設けられていること、及び、情報表示パネルが透明遊技盤２と同じ左右幅と同じ上下幅を持っていることが明らかであることを勘案すれば、引用例には、次の発明（以下、「引用発明」と言う。）が記載されていると認められる。
　　　　　
「電子ディスプレイ装置を用いた情報表示パネル３と、
　障害釘を含む役物、入賞口２′及びアウト口とが少なくとも設けられ、遊技球が上面を通過しうる透明な透明遊技盤２と、
　を有し、
　前記透明遊技盤２は、前記情報表示パネル３の表面に設けられ、
情報表示パネル３が透明遊技盤２と同じ左右幅と同じ上下幅を持っているパチンコ機。」
　　　　　　
３．対比
　そこで、本願発明と引用発明とを比較すると、引用発明のａ「情報表示パネル３」、ｂ「障害釘」、ｃ「入賞口２′」、ｄ「透明な」、ｅ「透明遊技盤２」、ｆ「表面」、ｇ「パチンコ機」、ｈ「同じ左右幅」は、それぞれ、本願発明のａ「可変表示部」、ｂ「釘」、ｃ「入賞口」、ｄ「透光性を有する」、ｅ「遊技基盤」、ｆ「前面」、ｇ「遊技機」、ｈ「左右幅と同程度の寸法」に相当する。
　　　　　　
　よって、両者は、
　　　　　　
　「電子ディスプレイ装置を用いた可変表示部と、
　釘を含む役物、入賞口及びアウト口とが少なくとも設けられ、遊技球が上面を通過しうる透光性を有する遊技基盤と、
　を有し、
前記遊技基盤は、前記可変表示部の前面に設けられ、
前記可変表示部の左右幅は前記遊技基盤の左右幅と同程度の寸法である遊技機。」
　　　　　　
である点で一致し、以下の点で相違する。
　　　　　　
相違点
　本願発明では、可変表示部の上下幅は、遊技基盤の上下幅よりも前記アウト口近傍領域の上下寸法だけ短いのに対し、引用発明では、可変表示部の上下幅は、遊技基盤の上下幅と同じである点。
　　　　　　
４．判断
　前記相違点について検討する。
　パソコンのディスプレイにみられるように、可変表示部の形状は製作の容易性の観点から四角形が一般的であることは広く知られているし、アウト口及びアウト口の左右の部分は、遊技者の視線があまり行き届かない部分であるので、コストの観点から可変表示部の面積を削減するために、引用発明において、アウト口のみならず、アウト口の左右の部分にも可変表示部を設けないようにして、可変表示部の上下幅を、遊技基盤の上下幅よりもアウト口の上下幅だけ短くすること、及び、その際に、短くする長さをアウト口近傍領域の上下寸法とする設計変更を加えることは、当業者が容易に想到できることである。
　　　　　　
５．本願発明の作用効果について
　本願発明の奏する効果は、引用発明から当業者が容易に予測し得るものであって、格別顕著なものではない。
　　　　　　　
６．むすび
　以上のとおり、本願発明は、引用発明に基づいて当業者が容易に発明をすることができたものであるから、特許法第２９条第２項の規定により特許を受けることができない。
　したがって、本願は拒絶をすべきものである。　　
　よって、結論のとおり審決する。